(57)【要約】【課題】手動やモータで蓋の開閉を行わずに屋外でもパネルの画面を良好に観察できるパネル搭載機器を提供する。【解決手段】蓋２６の回動軸３０に光変形プラスチック製のシートから形成した回動バネ３１の一端部を固定し、他端部を仕切り板３５に固定してある。仕切り板３５に紫外線ＬＥＤ３７とセンサ３８を設けてある。外光がＧフィルタ２９に照射され、緑色光が回動バネ３１に照射されると、非コイル状部３１ａの湾曲変形が元の平坦なシート状に戻り、蓋２６が時計方向に回動して開口２４が開かれ、外光が導光板２０の端面２０ａに照射して液晶パネル１３を照明する。外光の輝度が所定の閾値より低くなると、紫外線ＬＥＤ３７から３００〜４００ｎｍの紫外線が回動バネ３１に照射され、非コイル状部３１ａが湾曲変形し、蓋２６が反時計方向に回動して開口２４が閉じられる。この後、蛍光管２１が点灯しバックライト１９で液晶パネル１３が照明される。【選択図】        図３
2005234234.tif 000002
【特許請求の範囲】
【請求項１】
画像等表示用のパネルを機器本体に備えたパネル搭載機器において、
機器本体の上部に形成され、前記パネルの背後に設けられた導光板の一端面へ向けて外光を採り入れる開口と、この開口を開閉する蓋と、この蓋と一体的な回動軸に取り付けられ、回動軸を回動する回動バネとを備え、前記回動バネは、第一波長域の光を受けて変形し、第二波長域の光を受けて復元する光変形プラスチックから形成されていることを特徴とするパネル搭載機器。
【請求項２】
前記回動バネは、第一波長域の紫外線光を受けて平坦な形状から湾曲変形することにより蓋が閉じる方向に回動軸を回動し、紫外線よりも波長が長い第二波長域の光を受けて平坦な形状に復元することにより蓋が開く方向に回動軸を回動する光変形プラスチック製のシートで構成され、かつこのシートに第一波長域の紫外線光を照射する光源装置と、外光から第二波長域の光を主に透過してシートに照射するフィルタとを設けたことを特徴とする請求項１記載のパネル搭載機器。
【請求項３】
画像等表示用のパネルを機器本体に備えたパネル搭載機器において、
機器本体の上部に形成され、前記パネルの背後に設けられた導光板の一端面へ向けて外光を採り入れる開口と、この開口を開閉する蓋と、この蓋と機器本体とを連結するヒンジとを備え、前記ヒンジは、第一波長域の光を受けて変形し、第二波長域の光を受けて復元する光変形プラスチックから形成されていることを特徴とするパネル搭載機器。
【請求項４】
前記ヒンジは、第一波長域の紫外線光を受けて平坦な形状から湾曲変形することにより蓋を閉じ、紫外線よりも波長が長い第二波長域の光を受けて平坦な形状に復元することにより蓋を開く光変形プラスチック製のシートで構成され、かつこのシートに第一波長域の紫外線光を照射する光源装置を設けるとともに、外光から第二波長域の光を主に透過させるコート層をシートの外表面に設けたことを特徴とする請求項３記載のパネル搭載機器。
【請求項５】
画像等表示用のパネルを機器本体に備えたパネル搭載機器において、
前記パネルへの直射日光を防止する庇を機器本体の上方部に設け、この庇が、第一波長域の紫外線光を受けて平坦な形状から湾曲変形することにより折り畳まれ、紫外線よりも波長が長い第二波長域の光を受けて平坦な形状に復元することにより機器本体から起立してパネルへの直射日光を防止する光変形プラスチック製のシートで構成され、かつこのシートに第一波長域の紫外線光を照射する光源装置を設けるとともに、外光から第二波長域の光を主に透過させるコート層をシートの外表面に設けたことを特徴とするパネル搭載機器。
【請求項６】
画像等表示用のパネルを機器本体に備えたパネル搭載機器において、
前記機器本体の上方部に設けられ、前記パネルへの直射日光を防止する起立位置と邪魔にならない倒伏位置との間で回動される庇と、この庇の回動軸に取り付けられ、前記庇を回動する回動バネとを備え、前記回動バネは、第一波長域の紫外線光を受けて平坦な形状から湾曲変形することにより庇が起立位置から倒伏位置へ回動するように回動軸を回動し、紫外線よりも波長が長い第二波長域の光を受けて平坦な形状に復元することにより庇が倒伏位置から起立位置へ回動するように回動軸を回動する光変形プラスチック製のシートで構成され、かつこのシートに第一波長域の紫外線光を照射する光源装置と、外光から第二波長域の光を主に透過してシートに照射するフィルタとを設けたことを特徴とするパネル搭載機器。
【発明の詳細な説明】
【技術分野】
【０００１】
本発明は、画像等を表示するパネルを搭載したパネル搭載機器に関し、更に詳しくは、外光を利用してパネルを照明するパネル搭載機器に関するものである。
【背景技術】
【０００２】
画像や文字等（以下画像等という）を表示するパネルを搭載したパネル搭載機器としては、デジタルカメラ，デジタルムービーカメラ（カメラ一体型ＶＴＲ），携帯電話，ＰＤＡ及びノート型パーソナルコンピュータ（以下ノートパソコンという）等がある。画像等表示用のパネルとしては、自然光等の外光で照明して画面を観察する反射型液晶パネルや、光透過型液晶パネルの背面にバックライトを設けたバックライト付き液晶パネルや、自己発光のパネルで基本的にバックライトを必要としない有機ＥＬ（エレクトロルミネッセンス）パネルが知られている。近年では、照明が十分でない室内や車内でも鮮明に画像を観察できるという理由から、バックライト付き液晶パネルが多く使用されている。
【０００３】
ところが、バックライト付き液晶パネルは、戸外では外光の明るさがバックライトの明るさより強いため、表示画面が見にくくなるという欠点を有する。これを解決するためには、バックライトをより明るくすることが有効であるため、光源である蛍光管の本数を増加させたり、蛍光管の電流を増加させることが行われている。しかしながら、電池寿命や発熱、またコストアップの原因になるという問題点がある。
【０００４】
そこで、液晶パネルの背面側に開閉式の反射板を設けた携帯用情報端末装置（ノートパソコン等）が知られている（例えば特許文献１）。この携帯用情報端末装置の反射板を開くと、外光が反射板で反射して液晶パネルの背面に照射される。これにより、液晶パネルの輝度が上がり、液晶パネルの視認性が向上する。
【０００５】
また、矩形板状をした導光板，光拡散板を層設し、導光板の一方の縁には線状光源（蛍光管）を設けるとともに、他方の縁からは外光が採り入れられるようにした液晶パネル用のバックライトが知られている（例えば特許文献２）。前記導光板に外光を採り入れるか否かは、バックライトの上方部に設けられたスリット状の開口を細長い蓋で開閉することにより行う。
【０００６】
【特許文献１】特開２００１−２１５８８８号公報
【特許文献２】特開平８−１２２５３４号公報
【発明の開示】
【発明が解決しようとする課題】
【０００７】
上記特許文献１記載の反射板は、ユーザが外光の強さを自ら判断して手動で開閉する必要がある。また、上記特許文献２記載の細長い蓋は、手動又はモータ駆動により開閉する必要がある。手動による蓋の開閉は煩わしく面倒である。また、モータ駆動によって蓋の開閉を行うと、機器全体の消費電力が大きくなり、電源電池の寿命が短くなるという問題がある。
【０００８】
本発明は、手動やモータで蓋の開閉を行うことなく、屋外でもパネルの画面を良好に観察できるパネル搭載機器を提供することを目的とする。
【課題を解決するための手段】
【０００９】
上記目的を達成するにあたり、本発明のパネル搭載機器は、画像等表示用のパネルを機器本体に備えたパネル搭載機器において、機器本体の上部に形成され、前記パネルの背後に設けられた導光板の一端面へ向けて外光を採り入れる開口と、この開口を開閉する蓋と、この蓋と一体的な回動軸に取り付けられ、回動軸を回動する回動バネとを備え、前記回動バネは、第一波長域の光を受けて変形し、第二波長域の光を受けて復元する光変形プラスチックから形成されていることを特徴とする。このような光変形プラスチックの一例としては、アゾベンゼン分子を主原料とする高分子材料が英国雑誌「ＮＡＴＵＲＥ」（Vol.245 11 SEPTEMBER 2003 ）などで知られており、この光変形プラスチックから形成したシートは、紫外線の照射により平坦な形状から湾曲変形し、可視光の照射により元の平坦な形状に戻る性質を有している。
【００１０】
また、前記回動バネは、第一波長域の紫外線光を受けて平坦な形状から湾曲変形することにより蓋が閉じる方向に回動軸を回動し、紫外線よりも波長が長い第二波長域の光を受けて平坦な形状に復元することにより蓋が開く方向に回動軸を回動する光変形プラスチック製のシートで構成され、かつこのシートに第一波長域の紫外線光を照射する光源装置と、外光から第二波長域の光を主に透過してシートに照射するフィルタとを設けたことを特徴とする。
【００１１】
また、画像等表示用のパネルを機器本体に備えたパネル搭載機器において、機器本体の上部に形成され、前記パネルの背後に設けられた導光板の一端面へ向けて外光を採り入れる開口と、この開口を開閉する蓋と、この蓋と機器本体とを連結するヒンジとを備え、前記ヒンジは、第一波長域の光を受けて変形し、第二波長域の光を受けて復元する光変形プラスチックから形成されていることを特徴とする。
【００１２】
また、前記ヒンジは、第一波長域の紫外線光を受けて平坦な形状から湾曲変形することにより蓋を閉じ、紫外線よりも波長が長い第二波長域の光を受けて平坦な形状に復元することにより蓋を開く光変形プラスチック製のシートで構成され、かつこのシートに第一波長域の紫外線光を照射する光源装置を設けるとともに、外光から第二波長域の光を主に透過させるコート層をシートの外表面に設けたことを特徴とする。
【００１３】
また、画像等表示用のパネルを機器本体に備えたパネル搭載機器において、前記パネルへの直射日光を防止する庇を機器本体の上方部に設け、この庇が、第一波長域の紫外線光を受けて平坦な形状から湾曲変形することにより折り畳まれ、紫外線よりも波長が長い第二波長域の光を受けて平坦な形状に復元することにより機器本体から起立してパネルへの直射日光を防止する光変形プラスチック製のシートで構成され、かつこのシートに第一波長域の紫外線光を照射する光源装置を設けるとともに、外光から第二波長域の光を主に透過させるコート層をシートの外表面に設けたことを特徴とする。
【００１４】
また、画像等表示用のパネルを機器本体に備えたパネル搭載機器において、前記機器本体の上方部に設けられ、前記パネルへの直射日光を防止する起立位置と邪魔にならない倒伏位置との間で回動される庇と、この庇の回動軸に取り付けられ、前記庇を回動する回動バネとを備え、前記回動バネは、第一波長域の紫外線光を受けて平坦な形状から湾曲変形することにより庇が起立位置から倒伏位置へ回動するように回動軸を回動し、紫外線よりも波長が長い第二波長域の光を受けて平坦な形状に復元することにより庇が倒伏位置から起立位置へ回動するように回動軸を回動する光変形プラスチック製のシートで構成され、かつこのシートに第一波長域の紫外線光を照射する光源装置と、外光から第二波長域の光を主に透過してシートに照射するフィルタとを設けたことを特徴とする。
【発明の効果】
【００１５】
本発明のパネル搭載機器によれば、導光板の一端面へ向けて外光を採り入れる開口を設け、この開口を開閉する蓋の回動軸に回動バネを設け、この回動バネを、第一波長域の光を受けて変形し、第二波長域の光を受けて復元する光変形プラスチックから形成したので、蓋の開閉に手動やモータ駆動を用いることなく、屋外では外光を利用してパネルを照明でき、パネルの画面を良好に観察できる。
【００１６】
また、光変形プラスチック製のシートで構成した回動バネは、第一波長域の紫外線光が照射されると、湾曲変形して蓋が閉じる方向に回動軸を回動し、紫外線よりも波長が長い第二波長域の光が照射されると、平坦な形状に復元して蓋が開く方向に回動軸を回動するようにするとともに、第一波長域の紫外線光をシートに照射するには光源装置を用い、第二波長域の光をシートに照射するにはフィルタを用いるので、簡単な構成でありながら、手動やモータで蓋の開閉を行うことなく、屋外でもパネルの画面を良好に観察できる。
【００１７】
また、導光板の一端面へ向けて外光を採り入れる開口を設け、この開口を開閉する蓋をヒンジを介して機器本体と連結し、第一波長域の光を受けて変形し、第二波長域の光を受けて復元する光変形プラスチックからヒンジを形成したので、手動やモータで蓋の開閉を行うことなく、屋外でもパネルの画面を良好に観察できる。
【００１８】
また、蓋と機器本体とを連結するヒンジを、第一波長域の紫外線光を受けて平坦な形状から湾曲変形することにより蓋を閉じ、紫外線よりも波長が長い第二波長域の光を受けて平坦な形状に復元することにより蓋を開く光変形プラスチック製のシートで構成し、このシートに第一波長域の紫外線光を照射する光源装置を設けるとともに、外光から第二波長域の光を主に透過させるコート層をシートの外表面に設けたので、簡単な構成でありながら、手動やモータで蓋の開閉を行うことなく、屋外でもパネルの画面を良好に観察できる。
【００１９】
また、パネルへの直射日光を防止する庇を機器本体の上方部に設け、この庇が、第一波長域の紫外線光を受けて平坦な形状から湾曲変形することにより折り畳まれ、紫外線よりも波長が長い第二波長域の光を受けて平坦な形状に復元することにより機器本体から起立してパネルへの直射日光を防止する光変形プラスチック製のシートで構成され、かつこのシートに第一波長域の紫外線光を照射する光源装置を設けるとともに、外光から第二波長域の光を主に透過させるコート層をシートの外表面に設けたので、手動やモータで蓋の開閉を行うことなく、屋外で直射日光がパネルの画面内に入ることを防いでパネルの画面を良好に観察できる。
【００２０】
また、機器本体の上方部に庇を設けるとともに庇の回動軸に回動バネを設け、第一波長域の紫外線光を受けて平坦な形状から湾曲変形することにより庇が起立位置から倒伏位置へ回動するように回動軸を回動し、紫外線よりも波長が長い第二波長域の光を受けて平坦な形状に復元することにより庇が倒伏位置から起立位置へ回動するように回動軸を回動する光変形プラスチック製のシートで回動バネを構成し、かつこのシートに第一波長域の紫外線光を照射する光源装置と、外光から第二波長域の光を主に透過してシートに照射するフィルタとを設けたので、手動やモータで蓋の開閉を行うことなく、屋外で直射日光がパネルの画面内に入ることを防いでパネルの画面を良好に観察できる。
【発明を実施するための最良の形態】
【００２１】
本発明の第１実施形態であるデジタルカメラの外観を背面側から示す図１において、デジタルカメラ１０のカメラ本体１１の前面には、撮影レンズ１２が設けられている。また、カメラ本体１１の背面１１ａには、電子ビューファインダとして用いられるとともに、再生画像を表示したり、またモード設定時に文字を表示するバックライト付きの液晶パネル１３が設けられ、その側方には電源ボタン１４が設けられている。また、液晶パネル１３の下方には、メニューボタン１５，左方セレクトボタン１６，右方セレクトボタン１７，決定ボタン１８が配置されている。
【００２２】
液晶パネル１３のバックライト１９は、透過型の液晶パネル１３の背面に配設された液晶パネル１３とほぼ同じ矩形状をした導光板２０と、この一方の端面に固定された円筒状の蛍光管２１とからなる。また、導光板２０には、蛍光管２１が固定された端面と反対側の端面２０ａを除く両側端面と、液晶パネル１３と反対側の面とには、アルミ蒸着２２（図３参照）が施されている。また、導光板２０の液晶パネル１３と接触する面には、光拡散板２３が設けられている（図３参照）。
【００２３】
これにより、蛍光管２１から導光板２０に入射した光は、導光板２０の内部を通って光拡散板２３で拡散され、液晶パネル１３の背面にほぼ均等に照射される。なお、端面２０ａから導光板２０の外方に光が洩れるが、通常は端面２０ａの上方に形成された細長い採光用の開口２４が、反射板２５付きの蓋２６で塞がれているから、光のロスはほとんどない。
【００２４】
カメラ本体１１の上部には、シャッタボタン２７の他、輝度センサ２８，前記細長い開口２４が設けられている。前記輝度センサ２８は、外光の輝度データをカメラ本体１１に内蔵されているＣＰＵに送る。ＣＰＵは、外光の輝度データを所定の閾値と比較して、外光の輝度が所定の輝度より低くなった際に、後述する紫外線ＬＥＤを点灯する制御を行う。
【００２５】
前記開口２４の両端部には、開口２４の両端部を矩形状に塞ぐように、白色光のうち５４０ｎｍ付近の緑色光を主に透過するＧフィルタ２９が取り付けられている。また、前記蓋２６が、Ｇフィルタ２９に挟まれた中央開口部２４ａを開閉する。
【００２６】
前記Ｇフィルタ２９の下方には、図２及び図３に示すように、前記蓋２６と一体成形された回動軸３０の両端部が配設され、その両端に突出成型された軸３０ａがカメラ本体１１内の所定壁部に形成された穴に回動自在に挿入されている。
【００２７】
前記回動軸３０の両端部には、光変形プラスチック製のシートから形成した回動バネ３１の一端部が固定されている。そして、回動バネ３１の他端部は、バックライト１９付きの液晶パネル１３をＣＣＤを始めとする撮影装置等から分離する仕切り板３５に固定されている。この仕切り板３５には、紫外線ＬＥＤ３７が各回動バネ３１の近傍に設けられ、紫外線ＬＥＤ３７の下方には、蓋２６の開閉状況をＣＰＵに伝えるセンサ３８が設けられている。
【００２８】
前記光変形プラスチック製のシートは、３００ｎｍ〜４００ｎｍの近紫外線光の照射を受けたときに内側に膨らむように湾曲変形し、変形後には近紫外線光の照射を断っても湾曲形状を記憶しており、そして可視光（白色光，特には５４０ｎｍ付近の緑光）を照射すると再び平坦なシート状に戻る特性を有している。したがって、紫外線ＬＥＤ３７が点灯すると、図３に仮想線で示すように、回動バネ３１の非コイル状部３１ａが湾曲変形してコイル状部３１ｂを巻き締めるから、回動軸３０が反時計方向に回動する。これにより、蓋２６によって開口２４が閉じられる。
【００２９】
そして、外光がＧフィルタ２９に照射され、５４０ｎｍ付近の緑光が回動バネ３１の非コイル状部３１ａに照射されると、非コイル状部３１ａの湾曲変形が、図３に実線で示すように、元の平坦なシート状に戻り、コイル状部３１ｂを巻き弛ませるから、回動軸３０が時計方向に回動する。これにより、蓋２６が開方向に回動して開口２４が開かれる。この開口２４が開かれた状態では、外光が反射板２５に当たって導光板２０の端面２０ａに照射され、外光によって液晶パネル１３が背後から照明される。なお、この状態では、蛍光管２１は消灯される。
【００３０】
このように構成された第１実施形態の作用について説明する。デジタルカメラ１０の電源がオフの時には、回動バネ３１の非コイル状部３１ａが湾曲変形しており、コイル状部３１ｂが巻き締められ、蓋２６によって開口２４が閉じられている。
【００３１】
デジタルカメラ１０を屋外に持ち出し、デジタルカメラ１０が外光に曝されると、外光（白色光）がＧフィルタ２９を通して緑色光となって回動バネ３１に照射される。これにより、非コイル状部３１ａの湾曲変形が元の平坦なシート状に戻り、コイル状部３１ｂが巻き弛んで回動軸３０が時計方向に回動し、蓋２６が開方向に回動して開口２４が開かれる。
【００３２】
蓋２６の反射板２５で反射された外光は、開口２４を通って導光板２０の一端面に照射され、導光板２０の内部を通って光拡散板２３で拡散され、液晶パネル１３の背面にほぼ均等に照射される。電源ボタン１４を押してデジタルカメラ１０の電源をオンにすると、デフォルトで撮影モードになっているから、液晶パネル１３は電子ビューファインダとして機能し、外光によって明るく照明された液晶パネル１３の画面にスルー画が表示される。なお、この時、輝度センサ２８によって十分に外光の輝度が高いことが検知されるから、蛍光管２１は点灯されない。
【００３３】
デジタルカメラ１０の電源がオンの時では、ＣＰＵは常に輝度センサ２８から入力される外光の輝度データを閾値と比較し、外光の輝度変動を監視している。ユーザがデジタルカメラ１０を持ってレストラン等の室内に入ると、外光の輝度が所定の閾値より低くなるため、ＣＰＵは、センサ３８からの信号によって蓋２６が開いている状態であることを確認してから、紫外線ＬＥＤ３７を点灯する。なお、蓋２６が閉じている場合には、紫外線ＬＥＤ３７は点灯されない。
【００３４】
紫外線ＬＥＤ３７から３００ｎｍ〜４００ｎｍの紫外線が回動バネ３１に照射され、シート状の非コイル状部３１ａが湾曲変形し、コイル状部３１ｂが巻き締められ、回動軸３０が反時計方向に回動して、開口２４が蓋２６によって閉じられてから、紫外線ＬＥＤ３７が消灯される。紫外線ＬＥＤ３７が消灯された後も、非コイル状部３１ａが湾曲変形した状態は記憶され、次に外光に曝されるまで開口２４は閉じられたままになる。
【００３５】
開口２４が閉じられた後、蛍光管２１が点灯され、蛍光管２１から放出された光は、導光板２０を通ってから光拡散板２３で拡散され、液晶パネル１３を背面側から照明する。なお、デジタルカメラ１０が屋外にあって外光に曝されている状況下であっても、デジタルカメラ１０の電源をオフにすると、デジタルカメラ１０の電源オフシーケンスの中で紫外線ＬＥＤ３７が一定時間だけ点灯し、開口２４が蓋２６によって閉じられる。
【００３６】
次に、本発明の第２実施形態を示す図４及び図５において、デジタルカメラ４０の上部に細長い採光用の開口４２が設けられ、この長手方向の一方の縁部に、光変形プラスチック製のシートから形成したヒンジ４４を介して蓋４５が取り付けられている。この蓋４５の内側の面には、外光を反射して開口４２内へ導くアルミ層４６が蒸着されている。
【００３７】
前記ヒンジ４４の上面には、ほぼ５４０ｎｍ付近の緑色光を主に透過するコート層４８が施してあり、外光がコート層４８を介してヒンジ４４に当たると、ヒンジ４４が平坦になって蓋４５がほぼ垂直に起立し、開口４２が開く。なお、前記第１実施形態と同じ部材には同じ符号を付し、説明を省略する。
【００３８】
外光の輝度が所定の閾値より低くなると、センサ３８からの信号によって蓋２６が開いている状態であることを確認してから、紫外線ＬＥＤ３７を点灯する。これにより、紫外線ＬＥＤ３７から３００ｎｍ〜４００ｎｍの紫外線がヒンジ４４に照射され、ヒンジ４４が図５に二点鎖線で示すように湾曲変形して蓋４５が回動し、開口２４が蓋４５によって閉じられる。この後、蛍光管２１が点灯し、導光板２０及び光拡散板２３を介して液晶パネル１３が照明される。
【００３９】
次に、本発明の第３実施形態を示す図６において、デジタルカメラ５０の液晶パネル１３の上方部に、光変形プラスチック製のシートから形成した庇としての短冊状のバイザー５２をカメラ本体５１の背面５１ａに対して垂直に立設してある。そして、液晶パネル１３とバイザー５２との間に、紫外線ＬＥＤ５４が３つ並列して設けてある。なお、前記第１実施形態と同じ部材には同じ符号を付し、説明を省略する。
【００４０】
バイザー５２の上面には、ほぼ５４０ｎｍ付近の緑色光を主に透過するコート層が施してあり、外光がコート層４８を介してバイザー５２に当たると、バイザー５２が平坦になって背面５１ａに対して垂直に起立し、液晶パネル１３の画面に直射日光が当たるのを防止する。
【００４１】
デジタルカメラ５０を保持したユーザが屋内に入るなどして外光がデジタルカメラ５０にほとんど当たらなくなると、輝度センサ２８から入力される外光の輝度データが所定の閾値より小さくなり、紫外線ＬＥＤ５４が点灯される。紫外線ＬＥＤ５４から３００ｎｍ〜４００ｎｍの紫外線がバイザー５２に照射され、二点鎖線で示すようにバイザー５２が内側に湾曲変形する。この後、蛍光管２１が点灯され、液晶パネル１３が背面側から照明される。
【００４２】
このように、液晶パネル１３がバックライト１９によって照明される際には、バイザー５２が邪魔にならないように畳まれ、また外光が液晶パネル１３に当たって見にくくなるような状況下では、バイザー５２が背面５１ａに対して垂直に起立して、液晶パネル１３の日除けの役目を果たす。
【００４３】
次に、本発明の第４実施形態を示す図７及び図８において、デジタルカメラ６０の液晶パネル１３の上方部には、細長い矩形状の開口６１が設けられている。この開口６１から突出して直射日光が液晶パネル１３に入るのを遮る起立位置と、開口６１内に収納され、開口６１を不完全ではあるがほぼ閉じる倒伏位置との間で回動自在に短冊状のバイザー６２が設けられている。なお、前記第１実施形態と同じ部材には同じ符号を付し、説明を省略する。
【００４４】
デジタルカメラ６０の上部には、一対のＧフィルタ６５が設けられ、この下方には、バイザー６２の回動軸６２ａの両端部が配設されている。この両端部には、光変形プラスチック製のシートから形成した回動バネ６７の一端部が固定され、この他端部は仕切り板６８に固定されている。
【００４５】
回動バネ６７は、回動軸６２ａ側のコイル状部６７ａと、仕切り板６８側の非コイル状部６７ｂとからなる。デジタルカメラ６０に外光が当たっている状況下では、Ｇフィルタ６５を通って約５４０ｎｍの緑色光が非コイル状部６７ｂに照射される。この状態では、図８に実線で示すように、非コイル状部６７ｂは平坦に延びており、回動軸６２ａが反時計方向に回動してバイザー６２が開口６１の外方に突出する起立位置にあり、液晶パネル１３の日除けになる。
【００４６】
また、デジタルカメラ６０に外光が当たらない状況下では、輝度センサ２８からの輝度データが所定の閾値より小さくなるため、センサ３８からの信号によって開口６１が開いている状態であることが確認された後、紫外線ＬＥＤ３７が点灯される。なお、バイザー６２によって開口６１が閉じられている状態では、紫外線ＬＥＤ３７は点灯されない。
【００４７】
紫外線ＬＥＤ３７から３００ｎｍ〜４００ｎｍの紫外線が回動バネ６７の非コイル状部６７ｂに照射され、これが図８に二点鎖線で示すように湾曲変形する。これにより、コイル状部６７ａが巻き締められ、回動軸６２ａが時計方向に回動して、バイザー６２が開口６１内に収納され、開口６１がほぼ閉じられる。この後、紫外線ＬＥＤ３７は消灯される。紫外線ＬＥＤ３７が消灯された後も、非コイル状部６７ｂが湾曲変形した状態は記憶され、次に外光に曝されるまでバイザー６２が開口６１内に収納されたままになる。また、開口６１がほぼ閉じられた後、蛍光管２１が点灯され、液晶パネル１３がバックライト１９によって照明される。
【００４８】
上記第２実施形態では、ヒンジのみを光変形プラスチック製のシートから形成したが、ヒンジを使わずに蓋自身を光変形プラスチック製のシートから形成してもよい。この場合、開口を閉じた際に外側になるシートの表面にほぼ５４０ｎｍ付近の緑色光を主に透過するコート層を設けるとともに、蓋の一方の縁部をカメラ本体の上面に対して垂直な開口内の壁に固定する。これにより、外光が当たる状態では、蓋がカメラ本体の上面に対して垂直に起立して開口を開き、外光が当らず、紫外線ＬＥＤが点灯した際には、蓋が湾曲変形して開口を閉じる。
【００４９】
以上説明した実施形態では、導光板には、蛍光管が固定された端面と反対側の端面を除く両側端面と、液晶パネルと反対側の面とにアルミ蒸着を施したが、本発明はこれに限定されることなく、例えば、導光板の液晶パネルと反対側の面に光反射率の高い金属板、例えばアルミニウム製の薄い板等を接合するようにしてもよい。
【００５０】
また、上記実施形態では、回動バネが弛むと蓋が開き、回動バネが締まると蓋が閉じるようにしたが、本発明はこれに限定されることなく、逆に回動バネが締まると蓋が開き、回動バネが弛むと蓋が閉じるようにしてもよい。
【００５１】
また、上記実施形態は、バックライト付き液晶パネルを搭載したパネル搭載機器であったが、本発明はこれに限定されることなく、バックライトがないパネル、例えば有機ＥＬパネルを搭載したパネル搭載機器であってもよい。通常の有機ＥＬパネルでは、発光層を２つの電極で挟んだサンドイッチ構造をしており、発光層の光を取り出すために片方の電極を透明電極としているが、本発明では、両方の電極を透明とし、片方の電極の背後に、上記導光板と同構造の導光板を設け、この導光板に外光を本発明の構成により導くか、又は通常の有機ＥＬパネルを使用し、本発明に係る庇（バイザー）を有機ＥＬパネルの上方部に設ける。
【産業上の利用可能性】
【００５２】
本発明は、デジタルカメラに適用される他に、画像等表示用のパネルを搭載した機器であれば、どのような機器にでも適用可能であり、例えば、携帯電話やノートパソコン等に適用される。
【図面の簡単な説明】
【００５３】
【図１】本発明の第１実施形態であるデジタルカメラの外観を示す斜視図である。
【図２】蓋の回動軸に取り付けられた回動バネを示す斜視図である。
【図３】蓋，回動バネ，紫外線ＬＥＤ及びバックライトの関係を概略的に示す断面図である。
【図４】本発明の第２実施形態の外観を示す斜視図である。
【図５】蓋，ヒンジ，紫外線ＬＥＤ及びバックライトの関係を概略的に示す断面図である。
【図６】本発明の第３実施形態の外観を示す斜視図である。
【図７】本発明の第４実施形態の外観を示す斜視図である。
【図８】バイザー，回動バネ，紫外線ＬＥＤ等の関係を概略的に示す断面図である。
【符号の説明】
【００５４】
１０，４０，５０，６０  デジタルカメラ
１３  液晶パネル
１９  バックライト
２０  導光板
２１  蛍光管
２４，４２  開口
２５  反射板
２６，４５  蓋
２８  輝度センサ
２９，６５  Ｇフィルタ
３１，６７  回動バネ
３７，５４  紫外線ＬＥＤ
４４  ヒンジ
４８  コート層
５２，６２  バイザー
【図１】
2005234234.tif 000003
【図２】
2005234234.tif 000004
【図３】
2005234234.tif 000005
【図４】
2005234234.tif 000006
【図５】
2005234234.tif 000007
【図６】
2005234234.tif 000008
【図７】
2005234234.tif 000009
【図８】
2005234234.tif 000010